(57)【特許請求の範囲】
【請求項１】
反射屈折投影対物器械の物体表面に配列されたパターンを投影対物器械の像表面上へと結像するために光軸に沿って配列された複数の光学要素、
を含み、
前記光学要素は、
凹ミラーと、
前記物体表面からの光を前記凹ミラーに向けて偏向させ、又は該凹ミラーからの光を前記像表面に向けて偏向させるために第１の傾斜軸回りに第１の傾斜角ｔ1だけ前記光軸に対して傾斜された第１の偏向ミラーと、
第２の傾斜軸回りに第２の傾斜角ｔ2だけ前記光軸に対して傾斜された第２の偏向ミラーと、
を含み、
前記第１の偏向ミラーは、（ｔ1−Δα1）≦α1≦（ｔ1＋Δα1）に従う第１の入射角度範囲からの第１の入射角α1で該第１偏向ミラー上に入射するｓ−偏光光に対して反射率Ｒs1（α1）、及びｐ−偏光光に対して反射率Ｒp1（α1）を備えた第１の反射コーティングを有し、
前記第２の偏向ミラーは、（ｔ2−Δα2）≦α2≦（ｔ2＋Δα2）に従う第２の入射角度範囲からの第２の入射角α2で該第２偏向ミラー上に入射するｓ−偏光光に対して反射率Ｒs2（α2）、及びｐ−偏光光に対して反射率Ｒp2（α2）を備えた第２の反射コーティングを有し、
ｔ1及びｔ2が約４５°であるとき、約１５°又はそれ以下の任意のΔα1，Δα2について、
前記第１及び第２の偏向ミラー上での反射時に蓄積される極点エッジ光線のｓ−偏光光に関する第１の反射率総和ＲsPEが、該第１及び第２の偏向ミラー上での反射時に蓄積される赤道エッジ光線のｐ−偏光光に関する第２の反射率総和ＲpEと実質的に等しく、
ΔＲ＝ＲsPE−ＲpEに従って前記第１の反射率総和ＲsPEと前記第２の反射率総和ＲpEの間の差として定義した有効反射率分離ΔＲは、２％よりも小さく、ここで、
RsPE= Rs1(t1-Δα1)+ Rs1(t1+Δα1)+ Rs2(t2-Δα2)+ Rs2(t2+Δα2) 
及び
RpE=2*(Rp1(t1)+Rp2(t2))
であり、
前記第１の反射コーティング及び前記第２の反射コーティングは、２６０ｎｍと１００ｎｍの間の波長範囲の紫外線に対して有効である
ことを特徴とする、反射屈折投影対物器械。
【請求項２】
前記第１及び第２の偏向ミラーの少なくとも一方への入射角αを有するｓ−偏光光に対する反射率の変動Ｒs（α）が、δαを前記傾斜角ｔと前記それぞれの入射角αとの間の角度差であるとして、以下の条件：
Rs(t+δα)+Rs(t-δα) = Rs(t) ± 0.5%
が、該それぞれの偏向ミラー上に入射する前記入射角度範囲の全ての入射角αに対して満たされるように、該偏向ミラーの該傾斜角に対応する入射角での反射率値Ｒs（ｔ）に対して実質的に点対称であることを特徴とする請求項１に記載の反射屈折投影対物器械。
【請求項３】
更に、以下の条件：
(Rp(t+δα)+Rp(t-δα)) / 2 = Rs(t) ± 2 %
が満たされることを特徴とする請求項１又は請求項２に記載の反射屈折投影対物器械。
【請求項４】
前記第１及び前記第２の偏向ミラーの反射率特性に対して、以下の条件：
(Rs(t-Δα)+ Rs(t+Δα)) / 2 = Rp(t) ± 0.5%
が満たされることを特徴とする請求項１から請求項３のいずれか１項に記載の反射屈折投影対物器械。
【請求項５】
前記第１及び前記第２の偏向ミラーの反射率特性に対して、以下の条件：
(Rp(t-Δα)+ Rp(t+Δα)) / 2 = Rs(t) ± 0.5%
が満たされることを特徴とする請求項４に記載の反射屈折投影対物器械。
【請求項６】
前記第１及び前記第２の偏向ミラーの反射率特性に対して、以下に条件：
Rp(t) = Rs(t) ± 0.5%
が満たされることを特徴とする請求項４又は請求項５に記載の反射屈折投影対物器械。
【請求項７】
前記物体表面は、前記像表面に平行である、
ことを特徴とする請求項１から請求項６のいずれか１項に記載の反射屈折投影対物器械。
【請求項８】
ｔ1＝４５°及びｔ2＝４５°であることを特徴とする請求項７に記載の反射屈折投影対物器械。
【請求項９】
前記第１の反射コーティング及び前記第２の反射コーティングは、同じコーティング構造を有することを特徴とする請求項１から請求項８のいずれか１項に記載の反射屈折投影対物器械。
【請求項１０】
２つ又はそれよりも多くのカスケード結像対物器械部分及び１つ又はそれよりも多くの中間像を含むことを特徴とする請求項１から請求項９のいずれか１項に記載の反射屈折投影対物器械。
【請求項１１】
反射屈折対物器械部分の瞳表面に又はそれに光学的に近く位置決めされた単一の凹ミラーを該凹ミラーの前に配列された１つ又はそれよりも多くの負のレンズと共に含むことを特徴とする請求項１から請求項１０のいずれか１項に記載の反射屈折投影対物器械。
【請求項１２】
前記パターンの第１の実中間像を発生する第１の屈折対物器械部分と、
前記第１の中間像から第２の実中間像を発生する凹ミラーを含む第２の反射屈折対物器械部分と、
前記第２の中間像を前記像表面内に結像する第３の屈折対物器械部分と、
を含むことを特徴とする請求項１から請求項１１のいずれか１項に記載の反射屈折投影対物器械。
【請求項１３】
前記第１の偏向ミラーは、前記物体表面から到来する光を前記凹ミラーに向けて偏向させるために前記第１の中間像に光学的に近く配列され、前記第２の偏向ミラーは、該凹ミラーから反射された光を前記像表面に向けて偏向させるために前記第２の中間像に光学的に近く配列されることを特徴とする請求項１２に記載の反射屈折投影対物器械。
【請求項１４】
前記物体表面から前記第１の中間像を通じて到来する光が、前記凹ミラーから到来する光を前記像表面に向けて偏向させる前記第１の偏向ミラー上に当たる前に該凹ミラー上に入射し、
前記第２の偏向ミラーは、前記第２の中間像の光学的下流に配列され、かつ前記像表面が前記物体表面と平行に配向されるように前記第１の偏向ミラーに対して垂直に配向される、
ことを特徴とする請求項１２又は請求項１３に記載の反射屈折投影対物器械。
【請求項１５】
像側開口数ＮＡ＞１で作動するように構成された液浸投影対物器械であることを特徴とする請求項１から請求項１４のいずれか１項に記載の反射屈折投影対物器械。
【請求項１６】
ミラー基板と、
前記基板上に被覆された反射コーティングと、
を含み、
ｔが約４５°であるとき、約１５°又はそれ以下の任意のΔαについて、
前記反射コーティングは、以下の条件：
(Rs(t-Δα)+ Rs(t+Δα)) / 2 = Rp(t) ± 0.5% 
が満たされるように、（ｔ−Δα）≦α≦（ｔ＋Δα）に従う入射角度範囲からの入射角αでミラー上に入射するｓ−偏光光に対して反射率Ｒs（α）、及びｐ−偏光光に対して反射率Ｒp（α）を有し、
前記反射コーティングは、２６０ｎｍと１００ｎｍの間の波長範囲の紫外線に対して有効である
ことを特徴とするミラー。
【請求項１７】
以下の条件：
(Rp(t-Δα)+ Rp(t+Δα)) / 2 = Rs(t) ± 0.5%
が満たされることを特徴とする請求項１６に記載のミラー。
【請求項１８】
以下の条件：
Rp(t) = Rs(t) ± 0.5%
が満たされることを特徴とする請求項１６又は請求項１７に記載のミラー。
【請求項１９】
平面反射面を有する平面ミラーであることを特徴とする請求項１６から請求項１８のいずれか１項に記載のミラー。
【請求項２０】
反射屈折投影対物器械を利用して半導体素子及び他の種類のマイクロデバイスを加工する方法であって、
規定の波長を有する紫外線照明光でマスクを照明する段階と、
請求項１から請求項１５のいずれか１項に記載の反射屈折投影対物器械を用いてパターンの像を感光基板上に投影する段階と、
を含むことを特徴とする方法。
【請求項２１】
前記マスクの前記パターンは、４つの軸外照明極を含む軸外照明モードに対応する照明システムの瞳平面での強度分布によって形成された有効光源からの照明光で照らされることを特徴とする請求項２０に記載の方法。
【請求項２２】
前記照明光は、前記照明極において接線偏光を有することを特徴とする請求項２１に記載の方法。
【請求項２３】
前記照明システムの前記瞳平面での前記強度分布は、光軸上に中心極を含み、該中心極における照明光は、実質的に非偏光であることを特徴とする請求項２２に記載の方法。
【請求項２４】
１次光を発生する光源と、
前記１次光を形成して、パターンを担持するマスク上に入射する照明光を発生する照明システムと、
前記パターンの像を感光基板上に投影する、請求項１から請求項１５のいずれか1項に記載の反射屈折投影対物器械と、
を含むことを特徴とする投影露光装置。
【発明の詳細な説明】
【技術分野】
【０００１】
本発明は、投影対物器械の物体表面に配列されたパターンを投影対物器械の像表面上に結像するように配列された複数の光学要素を含む反射屈折投影対物器械に関する。更に、本発明は、投影露光装置、そのような投影対物器械を用いる投影露光方法、及びミラーに関する。
【背景技術】
【０００２】
マイクロリソグラフィ処理は、集積回路（ＩＣ）液晶素子、マイクロパターン部材、及びマイクロ機械構成要素のような半導体素子の製造において一般的に用いられる。
フォトリソグラフィに用いられる投影露光装置は、一般的に、光源からの１次光を照明光へと変換するように構成された照明システム、及び投影対物器械を含む。照明システムからの光は、所定のパターンを有するレチクル（又はマスク）を照明し、投影対物器械は、パターンの像を投影対物器械の像表面に配列された感光基板のある一定の領域上に転写する。一般的に、投影は、レチクルパターンの縮小像を基板上に生成するように、縮小スケールにおいて高分解能で実施される。
【０００３】
光学リソグラフィでは、比較的大きく事実上平面の像視野において高分解能、並びに色収差及び他の収差の良好な補正ステータスを得なければならない。色補正及び像の平面化の問題を解決するのを助けるために、かねてから凹ミラーが用いられている。凹ミラーは、正のレンズと同様に正の屈折力を有するが、反対の符号のペツヴァル湾曲を有する。また、凹ミラーは、色収差を招かない。従って、屈折要素及び反射要素、特にレンズ及び少なくとも１つの凹ミラーを組み合わせる反射屈折システムは、紫外線を用いるマイクロリソグラフィのための高分解能投影対物器械を構成するのに多くの場合に用いられている。
残念ながら、凹ミラーは、光を到来方向にまともに送り返すので、光学設計内に統合することが困難である。凹ミラーを統合する知的設計が望ましい。
【０００４】
大きい像側開口数ＮＡ及び良好な補正ステータスを可能にする一部の反射屈折投影対物器械は、２つ又はそれよりも多くのカスケード（又は連結）結像対物器械部分、及び１つ又はそれよりも多くの中間像を含む。口径食及び掩蔽のない像を得るために軸外視野を用いた使用に向けて設計された連結システムの１つの部類は、軸上色収差（ＣＨＬ）及びペッツヴァル和を補正するために凹ミラーの前に配列された１つ又はそれよりも多くの負のレンズと共に、反射屈折対物器械部分の瞳表面に又はその光学的近くに位置決めされた単一の凹ミラーを用いる。一般的に、そのような投影対物器械は、光軸に対して傾斜された第１の偏向ミラーを有し、このミラーは、物体表面から到来する光を凹ミラーに向けて偏向させるか、又は凹ミラーによって反射された光を下流の対物器械部分に向けて偏向させるためのいずれかに用いられる。対物面と像平面を平行にするために、第１の偏向ミラーに対して直角に向けられた第２の偏向ミラーを設けることができる。
平面偏向ミラーを単一凹ミラーとの組合せに用いる折り返し反射屈折投影対物器械に関する代表例は、例えば、ＵＳ２００６／００７７３６６Ａ１、ＵＳ２００３／０２３４９１２Ａ１、ＵＳ２００５／０２４８８５６Ａ１、ＵＳ２００４／０２３３４０５Ａ１、又はＷＯ２００５／１１１６８９Ａ２に開示されている。
【０００５】
偏向ミラーが高い反射率を有することを保証するために、通例的に、これらの偏向ミラーは、通常は複数の誘電体層（誘電体多層スタック）として又は金属層と誘電体層の組合せとして設計される反射コーティングで被覆される。そのようなミラー上に入射し、それによって反射される光に対する反射率は、誘電体層が大きい入射角で作動する場合には、一般的に偏光に依存する方式で影響を受ける。更に、投影対物器械の像側開口数ＮＡが増大すると、偏向ミラー上に入射する光の入射角度範囲（入射角スペクトルとも表す）は拡大する場合がある。例えば、ＮＡ＞１における液浸リソグラフィに向けて設計された投影対物器械では、光軸に対して４５°だけ傾斜された偏向ミラー上に与えられる入射角は、約３０°から約６０°の範囲であると考えられる。
【０００６】
偏向ミラーにおいて発生する全ての入射角に対して基本的に一定の高反射率（例えば、９０％又はそれよりも高い）を備え、無視することができる反射率の偏光依存性しか持たない反射コーティングを備えた偏向ミラーを有することが望ましいであろう。そのような「理想的」反射コーティングを用いると、そのような反射屈折システムにおける投影ビーム内の光の強度分布及び偏光分布に対する偏向ミラーの悪影響を排除することができると考えられる。しかし、そのような「理想的」反射コーティングは、現時点で利用可能ではない。
そのような反射屈折システムにおけるある一定の結像条件の下では、結像されるパターンに含まれる異なる向きを有する構造線は、異なる効率で投影されることが判明している。様々な構造方向に対する向きに依存するこれらの差は、Ｈ−Ｖ差（水平−垂直差）又は限界寸法の変動（ＣＤ変動）とも呼ばれ、フォトレスト内の異なる構造の方向に対して異なる線幅として観測することができる。
【０００７】
そのような方向依存の差を回避するために様々な提案が行われている。
本出願人が出願したＷＯ２００４／０２５３７０Ａ１として公開されている国際特許出願（米国特許出願出願番号第１１／０６６、９２３号に対応する）は、凹ミラーと、光軸に対して第１の傾斜角だけ傾斜された第１の偏向ミラー及び光軸に対して第２の傾斜角だけ傾斜された第２の偏向ミラーを有し、両方の傾斜角を４５°又はその近くとすることができるビーム偏向デバイスとを有する反射屈折投影対物器械を開示している。ｓ−偏光光に対する偏向ミラーの反射率Ｒsと、ｐ−偏光光に対する偏向ミラーの反射率Ｒpとの間の比Ｒspは、この偏向ミラーに割り当てられた傾斜角を含む入射角度範囲内で、偏向ミラーの一方において１よりも大きく、他方の偏向ミラーにおいて１よりも小さい。そのような配列は、第１の偏向ミラーによって達成されるｓ−偏光及びｐ−偏光における反射強度の比の変化を少なくとも部分的に補償するために第２の偏向ミラーにおける反射を用いることを可能にする。従って、偏向ミラーの反射コーティングの設計は、偏向ミラーにおいて反射される光に対する偏光ミラーの偏光依存の影響が比較的小さく留まることを保証する。
【０００８】
２つの偏向ミラーと偏向ミラーを通過する光の偏光状態に影響を与えることを意図した反射コーティングとを用いる他の反射屈折投影対物器械は、ＷＯ２００５／１２４４２０Ａ１として公開されている国際特許出願に開示されている。
ある一定のマイクロリソグラフィ技術では、マスクのパターンは、特定の照明モードに対応する照明システムの瞳平面における強度分布によって形成される有効光源からの光で照らされる。これらの照明モードは、様々な程度の干渉（例えば、パラメータσによって定められる）を有する従来の照明モード及び軸外照明を適用する非従来照明モードを含む。軸外照明モードは、特定のリソグラフィ処理に対して望ましい限界寸法が露光システムの理論上の分解能限界に非常に近くなる際に好ましいものとすることができる。軸外照明では、パターンをもたらすマスクは、傾いた（非垂直）角度で照らされ、それによって分解能を改善する場合があるが、特に、焦点深度（ＤＯＦ）及び／又はコントラストを高めることによって処理裕度が改善される。１つの公知の軸外照明モードは、光軸上の従来のゼロ次のスポットがリング形強度分布へと修正される環状のものである。別のモードは、有効光源を形成する照明システムの瞳平面における強度分布が光軸上にない（軸外）いくつかの極によって特徴付けられる多重極照明である。双極照明が、１つの主な周期方向を有する焼き付けパターンに対して多くの場合に用いられる。４つの軸外照明極を用いる四重極照明は、パターンが互いに垂直な方向に沿った直交線のサブパターン（場合によっては水平線及び垂直線で表される）を含む場合に用いることができる。
照明光の偏光状態を制御することにより、更に別の改善を得ることができる。
【先行技術文献】
【特許文献】
【０００９】
【特許文献１】ＵＳ２００６／００７７３６６Ａ１
【特許文献２】ＵＳ２００３／０２３４９１２Ａ１
【特許文献３】ＵＳ２００５／０２４８８５６Ａ１
【特許文献４】ＵＳ２００４／０２３３４０５Ａ１
【特許文献５】ＷＯ２００５／１１１６８９Ａ２
【特許文献６】ＷＯ２００４／０２５３７０Ａ１
【特許文献７】米国特許出願出願番号第１１／０６６、９２３号
【特許文献８】ＷＯ２００５／１２４４２０Ａ１
【特許文献９】ＵＳ２００５／０１５２０４６Ａ１
【特許文献１０】ＥＰ１、７６７、９７８Ａ１
【特許文献１１】ＷＯ２００５／０４０８９０Ａ２
【特許文献１２】ＵＳ２００５／０１８５２６９Ａ１
【非特許文献】
【００１０】
【非特許文献１】「ＳＯＬＩＤ  Ｅ（登録商標）」、ｈｔｔｐ：／／ｗｗｗ．ｓｙｎｎｏｐｓｙｓ．ｃｏｍ／ｐｒｏｄｕｃｔｓ／ｔｃａｄ／ａｃｑｎｒ／ｓｇｍｃ／ｓｏｌｉｄｅ．ｈｔｍｌ
【発明の概要】
【発明が解決しようとする課題】
【００１１】
本発明の１つの目的は、サブパターンの向きの差に起因する線幅変動が大幅に回避されるように、様々な方向に向くサブパターンを含むパターンを結像することを可能にする傾斜偏向ミラーを有する反射屈折投影対物器械を提供することである。
本発明の別の目的は、サブパターンの向きの差に起因するコントラスト変動が大幅に回避されるように、様々な方向に向くサブパターンを含むパターンを結像することを可能にする傾斜偏向ミラーを有する反射屈折投影対物器械を提供することである。
本発明の別の目的は、投影対物器械の瞳表面における照明極内の強度分布に対して悪影響を実質的に持たない傾斜偏向ミラーを有する反射屈折投影対物器械を提供することである。
反射屈折投影対物器械は、深紫外（ＤＵＶ）又は超深紫外（ＶＵＶ）域からの紫外線を用いる投影露光装置においてマイクロリソグラフィ処理を実施するのに用いることができる。
【課題を解決するための手段】
【００１２】
上記及び他の目的に対する解決法として、本発明は、一方式に従って、投影対物器械の物体表面に配列されたパターンを投影対物器械の像表面上へと結像するために光軸に沿って配列され、かつ凹ミラーと、物体表面からの光を凹ミラーに向けて偏向させるか又は凹ミラーからの光を像表面に向けて偏向させるために第１の傾斜軸回りに第１の傾斜角ｔ1だけ光軸に対して傾斜された第１の偏向ミラーと、第２の傾斜軸回りに第２の傾斜角ｔ2だけ光軸に対して傾斜された第２の偏向ミラーとを含む複数の光学要素を含む反射屈折投影対物器械を提供し、第１の偏向ミラーは、（ｔ1−Δα1）≦α1≦（ｔ1＋Δα1）に従う第１の入射角度範囲からの第１の入射角α1において、第１偏向ミラー上に入射するｓ−偏光光に対して反射率Ｒs1（α1）、及びｐ−偏光光に対して反射率Ｒp1（α1）を備えた第１の反射コーティングを有し、第２の偏向ミラーは、（ｔ2−Δα2）≦α2≦（ｔ2＋Δα2）に従う第２の入射角度範囲からの第２の入射角α2において、第２偏向ミラー上に入射するｓ−偏光光に対して反射率Ｒs2（α2）、及びｐ−偏光光に対して反射率Ｒp2（α2）を備えた第２の反射コーティングを有し、第１及び第２の偏向ミラー上での反射時に蓄積される極点エッジ光線のｓ−偏光光に関する第１の反射率総和ＲsPEが、第１及び第２の偏向ミラー上での反射時に蓄積される赤道エッジ光線のｐ−偏光光に関する第２の反射率総和ＲpEと実質的に等しい。
【００１３】
一般的に、第１及び第２の偏向ミラーの各々の反射率Ｒは、そのミラー上に入射する光成分の偏光方向（例えば、ｓ−偏光又はｐ−偏光）、及びミラー上に入射する光線の入射角（α）に依存する。これらの依存性は、それぞれ、パラメータＲs1（α）、Ｒs2（α）、Ｒp1（α）、及びＲp2（α）によって与えられ、ここでインデックス１及び２は、それぞれの偏向ミラーを表している。入射ビームが、有限の開き角（それぞれの偏向ミラーの位置におけるビームの開口数によって特定される）を有する場合には、偏向ミラー上に収まる入射角スペクトルは、実質的に、対応する偏向ミラーの傾斜角に対応する入射角を中心とする。それぞれの偏向ミラー上の入射角度範囲は、角度差Δαだけ中心値（α＝傾斜角ｔ）とは異なる最小入射角（αMIN）と最大入射角（αMAX）の間で広がり、一般的に、角度差Δαの値は、投影対物器械の物体側開口数ＮＡOBJ、投影対物器械の物体表面とそれぞれの偏向ミラーに最も近い視野平面との間の倍率βx、及びΔα＝ａｓｉｎ（σ・ＮＡOBJ／βx）に従ってそれぞれの照明モードによって定められるパラメータσに依存する。
【００１４】
偏向ミラーが、物体表面に光学的に近く位置決めされる場合には、βx＝１である。同様に、偏向ミラーが、約１：１の拡大率を有する中継システムによって形成される中間像に近い場合には、βxは１に近いか又は等しい。パラメータσ（多くの場合に干渉係数とも呼ばれる）の値は、照明システムの瞳の半径に対する従来の設定における円盤状照明強度の半径の比として従来通りに示され、従って、０と１の間の値をとる。
【００１５】
一般的に、１又はその近くのσの値（例えば、σ≧０．７及び／又はσ≧０．８）は、照明システムの瞳のエッジ又はそれに非常に近い瞳位置に対応する。リソグラフィ処理において高い分解能及びコントラストを得るために、瞳エッジに近い領域に対応する傾斜した照明方向を用いることができる。本出願では、瞳のエッジに近い幅狭領域から発する光線を「瞳エッジ光線」で表している。「瞳エッジ光線」は、それぞれの偏向ミラーの向き及び傾斜した偏向ミラーの傾斜軸の方向に対する瞳エッジ光線の発射点の位置に依存して、最大又は最小入射角に近い入射角でそれぞれの偏向ミラー上に入射することができる。特に、瞳エッジ光線が、偏向ミラーの傾斜軸に対して垂直な方向を中心とする場所から発せられる場合には、大きい入射角を発生させることができる。本出願では、偏向ミラーの傾斜軸に対して垂直な方向を中心とする場所から発せられる瞳エッジ光線を「極点エッジ光線」で表している。
【００１６】
それとは対照的に、偏向ミラーの傾斜軸に対して平行な方向に延び、かつ光軸を含む瞳の幅狭領域から発する光線は、それぞれの傾斜角又はそれに近い入射角で偏向ミラー上に入射することができる。本出願では、偏向ミラーの傾斜軸に対して平行な方向に延びる瞳の幅狭領域を「赤道帯」で表している。本出願では、赤道帯から発する光線を「赤道光線」で表している。例えば、傾斜角が４５°の場合には、赤道光線は、例えば、４５°±５°又は４５°±３°の領域内の入射角を有することができる。本出願では、赤道帯から発する瞳エッジ光線を「赤道エッジ光線」で表している。本出願では、瞳の光軸又はそれに近い場所における赤道帯から発する光線を「瞳中心光線」で表している。一般的に、これらの瞳中心光線は、小さいσ値、例えば、σ＜０．２及び／又はσ＜０．３を有する中心領域から発する。
【００１７】
「偏向ミラー」という用語は、所定の角度又は角度範囲で放射線を偏向させるように設計された反射光学要素を表している。「偏向ミラー」は、平面ミラーとすることができ、その場合には、偏向ミラーは、反射された光線に対する他の効果を招くことなく光軸を折り返すことができる。平面偏向ミラーは、屈折力を持たない。偏向ミラーは、平面から有意に逸脱した表面形状を有することができる。例えば、偏向ミラーの表面は、反射された光線に対して補正効果を発揮するために球面又は非球面で湾曲することができる。
【００１８】
偏向ミラーの反射率が、本発明のこの態様に従って調節された場合には、偏向ミラーの反射コーティングの構造及び反射率特性により、第１及び第２の偏向ミラーにおける光ビームの連続反射が、瞳の極点エッジ領域から発する光線（極点エッジ光線）と、それぞれの傾斜角又はそれに近い入射角、例えば、４５°又はそれに近い入射角のみで偏向ミラー上に入射する光線、例えば、赤道帯から発する光線との間で有意な強度差を引き起こさないことが保証される。
【００１９】
第１の反射率総和ＲsPEは、偏向ミラー上でそれぞれ最大及び最小入射角を有する光線が受ける反射損失を表している。これらの光線は、高コントラスト及び分解能を得るために２ビーム干渉状況に用いられる。また、結像処理において十分な強度を得るために、極値から５°又は４°又は３°又は２°又はそれ未満のような小量しか偏向しない光線が一般的に用いられる。これらの光線をＲsPEの計算内に含めることができる。第２の反射率総和ＲpEは、偏向ミラー上にそれぞれの傾斜角又はそれに近い入射角で入射する光線が被る反射損失を表している。一般的に、これらの光線は、光軸とそれぞれの偏向ミラーの傾斜軸とによって定められる平面に対して小さい角度内又はその角度で伝播する光線を含む。偏差は、例えば、５°又は４°又は３°又は２°よりも小さいものとすることができる。これらの光線は、赤道エッジ光線を含むことができ、光軸に沿って又はそれに対して小さい角度で伝播する光線を含むことができる。
【００２０】
これらの選択された光線群の反射率が上述のように基本的に均衡する場合には、偏向ミラーの光学的下流の光線の強度不均一性は、それぞれのリソグラフィ処理おいて要求される程度まで回避することができる。この関連において、「実質的に等しい」という用語は、比較的幅狭な角度範囲における平均値が一般的に考えられ、第１の反射率総和と第２の反射率総和とが厳密に同じである必要がないことを意味する。反射率総和の間の偏差の許容可能量は、一般的に、瞳内の強度の不均一性に関するそれぞれのリソグラフィ処理の感度に依存し、３％又はそれ未満程度の反射率総和の間の偏差を許容範囲とすることができる。
一般的に、本出願では、記号「％」は「百分率ポイント」であると理解されるものとする。例えば、反射率Ｒ＝９０％とＲ＝９１％は、１百分率ポイント、すなわち、１％だけ異なる。反射率Ｒ＝５０％とＲ＝５１％において同じことが成り立つが、相対差はより大きい。
【００２１】
実施形態においては、第１の反射率総和ＲsPEと第２の反射率総和ＲpEの間の差としてΔＲ＝ＲsPE−ＲpEに従って定められる有効反射率分離ΔＲは、２％よりも小さい。ここで、次式が成り立つ。
RsPE= Rs1(t1-Δα1)+ Rs1(t1+Δα1)+ Rs2(t2-Δα2)+ Rs2(t2+Δα2)          (1)
及び
RpE=2*(Rp1(t1)+Rp2(t2)).                                          (2)
一部の実施形態では、有効反射率分離ΔＲは、１．５％又はそれ未満、及び／又は１％又はそれ未満とすることができる。
【００２２】
一般的に、殆どの場合で有限量の反射率分離が発生する。幅狭なスペクトルの光線を考える場合には、ΔＲ＝０に近い小さい値を得ることができる。例えば、反射コーティングは、回折次数が投影対物器械の瞳エッジの直近、例えば、σ≧０．９８のところに位置するパターンの最も重要な周期性に対応する１対の入射角αmax及びαminにおける反射率分離ΔＲがΔＲ＝０になるように設計することができる。極値（それぞれαmax及びαmin）と中心値（例えばα＝ｔ）又はそれに近い値との間の入射角度範囲全体を考えた場合には、パターンにおける広い周期スペクトルにおいて、不均等な強度分布によって引き起こされる強度楕円度及びそれに対応するＣＤ変化を回避することができることが判明している。実施形態により、これは、第１及び第２の偏向ミラーの少なくとも一方の上の入射角αによるｓ−偏光光に対する反射率の変化Ｒs（α）が、次の条件：
Rs(t+δα)+Rs(t-δα) = Rs(t) ± 0.5%                      (3)
がそれぞれの偏向ミラー上に入射する入射角度範囲の全ての入射角αに対して満たされるように、偏向ミラーの傾斜角に対応する入射角における反射率の値Ｒs（ｔ）に対して実質的に点対称である場合に可能であり、上式において、δαは、傾斜角ｔとそれぞれの入射角αとの間の角度差である。数学的意味における点対称性からの許容偏差は、より小さいもの、例えば、±４％及び／又は±０．３％及び／又は±０．２％とすることができる。（記号「％」は、百分率ポイント反射率を表す。）
【００２３】
式（１）から式（３）によって表される条件は、瞳のエッジ又はそれに近い領域、例えば、０．７＜α≦１の領域での接線偏光に対応する照明モードにおいて優れた性能を保証するための最小要件と考えることができる。本質的に非偏光の光を用いて露光装置を作動させることが望ましい場合には、式（１）及び式（２）の条件に加えて、次式の条件を満たすべきである。
(Rp(t+δα)+Rp(t-δα)) / 2 = Rs(t) ± 2 %                  (4)
これらの条件に従う場合には、接線偏光のみならず、放射状偏光（好ましい偏光方向が瞳の半径方向にある）及び非偏光光（好ましい偏光方向を基本的に持たない光）が用いられる場合にも強度楕円度を基本的に回避することができる。
【００２４】
偏向ミラーの反射率特性において、次式の条件：
(Rs(t-Δα)+ Rs(t+Δα)) / 2 = Rp(t) ± 0.5%                (5)
が満たされる場合には、偏光光が用いられる場合に、説明した反射率不均一性を招くことなく、ある一定の傾斜角で傾斜された偏向ミラーとして単一のミラーを用いることができる。同一のコーティング構造を有する２つの「均衡する」偏向ミラーを有する偏向デバイスを用いてもよい。
【００２５】
露光処理において非偏光光（好ましい偏光方向を基本的に持たない光）を用いることが望ましく、均衡するミラーが望ましい場合には、条件（５）に加えて直交偏光方向に関する次式の条件を満たすべきである。
(Rp(t-Δα)+ Rp(t+Δα)) / 2 = Rs(t) ± 0.5%                (6)
従って、条件（５）及び（６）に従うことにより、接線又は放射状偏光、又は非偏光光を用いることが可能になる。
【００２６】
条件（５）に加えて、次式の条件：
Rp(t) = Rs(t) ± 0.5%                                    (7)
を満たすコーティングは、瞳エッジにおいて接線偏光を用い、瞳の中心の近くで（光軸の近くで）非偏光光を用いることを可能にする。
従って、本発明は、ミラー基板及びこの基板上に被覆された反射コーティングを有するミラーであり、反射コーティングの反射率特性が、式（５）、又は式（５）と（６）、又は式（５）と（７）に従うミラーにも関する。ミラーは、屈折力を持たずに光軸を折り返す偏向ミラーとして用いるのに適する平面ミラーとすることができる。
【００２７】
上述の条件は、リソグラフィ処理の望ましい範囲に対する予め定めた条件の集合という観点から、偏向ミラーにおいて用いるべき反射コーティングの構造を設計し、最適化するためのターゲット関数として利用することができる。例えば、接線偏光のようなある一定の好ましい偏光条件に関連して双極照明又は四重極照明のような限定組の照明モードに対して１組の反射コーティングを最適化することができる。他の照明環境が用いられる場合には、偏向ミラーの下流で所定の強度分布偏差を発生させることができる。必要に応じて、これらの偏差は、付加的な解決法を用いて補償することができる。一部の実施形態では、照明システム内の有効光源の強度分布が、偏向ミラー上の反射率の不均等効果に適応された不均等強度分布をもたらすようにターゲット方式で影響を受け、そのために組合せにおいて実質的に強度楕円度のない比較的均一な強度分布が、偏向ミラーの下流で得られる。照明システムの瞳内の強度分布を局所分解方式で調節するための適切な手段は、照明システムの瞳表面の領域内で可変透過フィルタを利用すること、ＵＳ２００５／０１５２０４６Ａ１に示されているもののような複数の平面反射面の配列を用いて照明瞳の異なる区域に対して異なる回折効率を与える回折光学要素を利用すること、又は照明システムの瞳表面内の不均一な空間強度分布をターゲット方式で形成する同様の機能を有する他の解決法を含むことができる。
【００２８】
別の態様によると、本発明は、規定の波長を有する紫外線でマスクを照明する段階と、上記又は下記に説明する反射屈折投影対物器械を用いてパターンの像を感光基板上に投影する段階とを含む、反射屈折投影対物器械を利用して半導体素子及び他の種類のマイクロデバイスを加工する方法に関する。
マスク上の元の構造と基板上に結像される構造との間に高い忠実性を有する微細構造デバイスを得ることができる。
【００２９】
本発明はまた、１次光を発生する光源と、１次光を形成して、パターンを担持するマスク上に入射する照明光を発生する照明システムと、感光基板上にパターンの像を投影する、基本的に上記又は下記に説明するように構成された投影対物器械とを含む投影露光装置にも関する。
好ましくは、１９３ｎｍ又は１５７ｎｍのような２６０ｎｍと１００ｎｍの間の波長範囲からの紫外線１次光を用いることができる。
【００３０】
本発明は、ＮＡ＜１にある乾式リソグラフィのための投影対物器械のみならず、特にＮＡ≧１にある液浸リソグラフィのための投影対物器械においても実施することができるように考えている。実施形態は、例えば、ＮＡ≧０．８０及び／又はＮＡ≧０．９０及び／又はＮＡ≧１．０を有することができる。
以上の及び他の性質は、特許請求の範囲だけでなく、本明細書及び図面においても見ることができ、個々の特性は、本発明の実施形態として単独又は部分組合せのいずれにおいても、更に他の分野においても用いることができ、有利で特許取得可能な実施形態を個々に表すことができる。
【図面の簡単な説明】
【００３１】
【図１Ａ】照明システム及び投影対物器械を有するマイクロリソグラフィのための投影露光装置の実施形態の概略図である。
【図１Ｂ】接線偏光を有する四重極照明モードによる照明システムの瞳表面における有効光源の強度分布の軸線方向図である。
【図１Ｃ】接線偏光を有する四重極照明モードによる照明システムの瞳表面における有効光源の強度分布の軸線方向図である。
【図１Ｄ】光軸上及びその近くに付加的な非偏光強度を有する図１Ｂ、１Ｃの照明モードを示す図である。
【図２】凹ミラー及びこの凹ミラーに向けて又はそこから光を誘導する２つの偏向ミラーを有する反射屈折投影対物器械のある一定の区画の詳細図である。
【図３】従来の反射コーティングで被覆した偏向ミラーにおけるそれぞれｓ−偏光光及びｐ−偏光光に対する反射率Ｒs及びＲpの入射角αに対する依存性を示すグラフである。
【図４】反射コーティングの第１の実施形態による反射コーティングで被覆した偏向ミラーにおけるそれぞれｓ−偏光光及びｐ−偏光光に対する反射率Ｒs及びＲpの入射角αに対する依存性を示す図である。
【図５Ａ】図５Ｂに略示している試験パターンを用いた場合の異なる線周期性（ピッチ）において基準システムＲＥＦ及び本発明の第１の実施形態ＥＭＢ１によって生成されるＨ−Ｖ差に関する結像シミュレーションの結果を有する比較図である。
【図５Ｂ】試験パターンの概略図である。
【図６】反射コーティングの第２の実施形態による反射コーティングで被覆した偏向ミラーにおけるそれぞれｓ−偏光光及びｐ−偏光光に対する反射率Ｒs及びＲpの入射角αに対する依存性を示す図である。
【図７】本発明の実施形態による偏向ミラーを含む反射屈折投影対物器械の第１の実施形態の概略図である。
【図８】本発明の実施形態による偏向ミラーを含む反射屈折投影対物器械の第２の実施形態の概略図である。
【発明を実施するための形態】
【００３２】
以下の好ましい実施形態の説明では、関わる物体は、集積回路の層のパターン又は何らかの他のパターン、例えば、格子パターンを担持するマスク（レチクル）である。物体の像は、フォトレジスト層で被覆した基板として機能するウェーハ上に投影されるが、液晶ディスプレイの構成要素又は光学格子のための基板のような他の種類の基板を利用することができる。
理解を容易にするために、図において対応する特徴を同様又は等しい参照識別記号で示している。
【００３３】
図１は、大規模集積半導体構成要素を逐次走査モードで加工するために設けられたウェーハスキャナＷＳの形態にあるマイクロリソグラフィ投影露光装置を略示している。投影露光装置は、光源として、約１９３ｎｍの作動波長を有するＡｒＦエキシマレーザＬを含む。他の実施形態では、２４８ｎｍ又は１５７ｎｍのような他の作動波長も可能である。下流の照明システムＩＬＬは、その出射表面ＥＳにおいて、下流の反射屈折投影対物器械ＰＯのテレセントリック要件に適応した大きくて鮮明に範囲が定められた均一に照らされる照明視野を生成する。照明システムＩＬＬは、照明モードを選択するためのデバイスを有し、この例では、可変の干渉度（σ）を有する従来の軸上照明と、軸外照明、特に環状照明（照明システムの瞳表面内にリング形の照明区域を有する）及び双極又は四重極照明との間で変更することができる。
【００３４】
照明システムの下流には、マスクＭ上に形成されたパターンが投影対物器械ＰＯの物体表面ＯＳと対応する照明システムの出射表面ＥＳ内に位置し、走査作動において、照明システム及び投影対物器械に対して共通の光軸ＡＸ（すなわち、Ｚ方向）に対して垂直な走査方向（Ｙ方向）にこの平面内で移動することができるようにマスクＭを保持し、かつ操作するためのデバイスＲＳ（レチクル台）が配列される。
【００３５】
縮小投影対物器械ＰＯは、マスクによって設けられたパターンの像を４：１の縮小スケール（倍率｜β｜＝０．２５）でフォトレジスト層で被覆したウェーハＷ上に像側開口数ＮＡ＞１で結像するように設計される。感光基板として機能するウェーハＷは、フォトレジスト層を有する平面基板表面ＳＳが投影対物器械の平面像表面ＩＳと基本的に対応するように配列される。ウェーハは、ウェーハをマスクＭと平行にマスクＭと同期して移動するためのスキャナ駆動体を含むデバイスＷＳ（ウェーハ台）によって保持される。また、デバイスＷＳは、光軸に対して平行なＺ方向及びこの光軸に対して垂直なＸ及びＹ方向の両方にウェーハを移動するためのマニピュレータを含む。光軸に対して垂直に延びる少なくとも１つの傾斜軸を有する傾斜デバイスが統合される。
投影対物器械ＰＯは、像表面ＩＳに最も近い最後の光学要素として平凸の最後のレンズＬＬを有し、この最後のレンズの平面の出射表面は、投影対物器械ＰＯの最後の光学面（出射表面）である。
【００３６】
露光装置は、ＮＡ＞１における液浸リソグラフィに向けて構成され、純水又は添加剤を有する水のような透明な高屈折率液浸液ＩＬを投影対物器械の出射表面と基板との間の小さい間隙内に、液浸液が少なくとも露光下の領域内でウェーハの基板表面ＳＳを完全に覆い、投影対物器械の出射側の末端区域が液浸液の中に浸漬されると同時に有限の像側作動距離が正しく設定されるように誘導するための液浸媒体誘導システム（示していない）をむ。システム全体は、中央コンピュータＣＯＭＰによって制御される。
【００３７】
照明システムＩＬＬは、照明システムの瞳平面ＰILLにおける所定の強度分布によって形成される有効光源ＥＦＦを作り出すように構成された瞳成形ユニットＰＳＵを含む。瞳平面ＰILLは、マスクＭが置かれる投影対物器械ＰＯの物体表面に対してフーリエ変換表面である。従って、有効光源ＥＦＦの光強度の空間分布は、マスクＭ上に入射する照明光の角度分布を決める。フーリエ変換を実施するために集光器システムＣＳが設けられる。
【００３８】
投影対物器械ＰＯの出射側瞳表面ＰPOは、照明システムの瞳表面ＰILLと光学的に共役である。従って、マスクの不在時には、有効光源ＥＦＦにおける強度分布に等しい空間強度分布を投影対物器械の瞳表面ＰPO内に形成することができる。パターンを担持するマスクが照明システムと投影対物器械の間に挿入される場合には、投影対物器械の瞳平面ＰPOにおける強度分布は、マスクパターンの特質に対応する回折情報を更に含む。
【００３９】
図１に示している状況では、瞳成形ユニットＰＳＵの可変光学要素は、有効光源ＥＦＦの所定の強度分布が、各々がリングの切片の形状を有し、瞳のエッジの近くに位置決めされた４つの軸外極ＰＸ１、ＰＸ２、ＰＹ１、ＰＹ２によって特徴付けられる四重極照明モードになるように調節される（図１Ｂから図１Ｄを参照されたい）。本明細書に用いる「極」という用語は、僅かな光強度しかないか、又は光強度のない領域で囲まれた比較的高い光強度を有する所定の形状及びサイズの領域を意味する。極は、内側σ値σiと１に近い外側σ値σoの間のσ範囲Δσ内で半径方向に延びている。値σi及びσoは、瞳の半径に対する極の内側及び外側半径の比である。投影システムの最大分解パワーを利用するようになっている照明モードでは、一般的に、σは、例えば、約σi＝０．７とσo＝０．９８の間の範囲である。この実施形態では、極は、方位角（円周）方向に約３０°から４０°、例えば、約３５°にわたって延びている。
【００４０】
瞳のエッジに近い幅狭領域（１又は１に近いσ値、例えば、σ≧０．７及び／又はσ≧０．８）から発する光線を「瞳エッジ光線」で表している。「瞳エッジ光線」は、それぞれの偏向ミラーの向き、及び傾斜された偏向ミラーの傾斜軸の方向に対する瞳エッジ光線の発射点の位置に依存して、最大又は最小入射角に近い入射角でそれぞれの偏向ミラーに入射することができる。本出願では、偏向ミラーの傾斜軸に対して垂直な方向（ｙ方向）を中心とする場所から発する瞳エッジ光線を「極点エッジ光線」で表している。従って、ｙ極ＰＹ１及びＰＹ２は、極点エッジ光線に対応する。このことから、これらの極を「極点極」とも表している。
【００４１】
それとは対照的に、偏向ミラーの傾斜軸に対して平行な方向に延び（すなわち、ｘ方向に対して平行に）、光軸ＡＸを含む瞳の「赤道帯」ＥＺから発する光線は、それぞれの傾斜角又はその近くの入射角で偏向ミラー上に入射することができる。赤道帯ＥＺから発する光線を「赤道光線」で表している。赤道帯から発する瞳エッジ光線（例えば、σ≧０．７及び／又はσ≧０．８）を「赤道エッジ光線」で表している。従って、ｘ極ＰＸ１及びＰＸ２は、赤道エッジ光線に対応する。このことから、これらの極を「赤道極」とも表している。
【００４２】
本出願では、光軸又はそれに近い瞳の場所における赤道帯から発する光線を「瞳中心光線」で表す（例えば、図１Ｄの瞳中心光線ＰＣＲを参照されたい）。一般的に、これらの瞳中心光線は、中心領域から小さいσ値、例えば、σ＜０．２及び／又はσ＜０．３で発せられる。
一般的に、ｘ方向に沿って位置決めされた極ＰＸ１、ＰＸ２（「ｘ極」又は「赤道極」とも表す）から出射する光は、主に、一般的にｙ方向に延びるマスクのサブパターンを結像するのに有効である。場合によってこれらのパターンを「垂直線」で表し、これに対応するｘ極を「垂直極」で表している。ｙ方向に沿って位置する極ＰＹ１及びＰＹ２（「ｙ極」又は「水平極」又は「極点極」から出射する光は、主に、ｘ方向に主要な特徴部（場合によっては「水平線」で表す）を有するサブパターンを結像するのに有効である。
【００４３】
この照明システムには、有効光源ＥＦＦにおける光の偏光状態を調節することを可能にする偏光制御配列が装備される。この実施形態では、偏光状態は、電界ベクトルの好ましい振動方向が双方向矢印によって示しているように一般的に接線方向（半径方向に対して垂直）にある「接線偏光」を得るように調節される。接線偏光が用いられる場合には、好ましい偏光方向は、光軸と軸外極から発する光の伝播方向とによって定められる平面に対して一般的に垂直であり、それによって特に液浸作動で得ることができるＮＡ＞１のような高い像側ＮＡにおいて効率的な干渉が得られる。
【００４４】
図１Ｂに、極ＰＹ１の外エッジから出射する第１の瞳エッジ光線ＰＥＲ１及び極ＰＹ２の他方のエッジから出射する第２の瞳エッジ光線ＰＥＲ２を示している。瞳エッジ光線ＰＥＲ１及びＰＥＲ２は、パターンの限界構造、すなわち、リソグラフィが投影対物器械の分解能限界にあることを要求する最小周期長を有する構造の像を得るのに２ビーム干渉が望ましい場合のリソグラフィ処理において利用される照明方向における代表例である。
【００４５】
図２は、投影対物器械の瞳表面に位置決めされた単一の凹ミラーＣＭを有する反射屈折投影対物器械のある区画の詳細図を示している。物体表面から到来する光を凹ミラーに向けて偏向させるために、ｘ方向に対して平行な第１の傾斜軸の回りに光軸ＡＸに対して第１の傾斜角ｔ1＝４５°だけ傾斜された第１の平面偏向ミラーＭ１が設けられる。凹ミラーから到来する光を像表面に向けて偏向させるために、第１の傾斜軸に対して平行な（すなわち、ｘ方向に対して平行な）第２の傾斜軸の回りに光軸に対して第２の傾斜角ｔ2＝４５°だけ傾斜された第２の偏向ミラーが設けられる。反射ミラーの平面反射面は、物体表面と像表面とが互いに対して平行になるように、互いに対して垂直に向けられる。
【００４６】
本明細書に用いる偏向ミラーの「傾斜角」は、偏向ミラーにおける光軸と平坦な反射ミラー表面の表面に対する法線との間の角度として定められる。入射角は、偏向ミラー上に入射する光の方向とこの表面に対する法線との間の角度として定められる。従って、光軸に対して平行に入射する光では、入射角は、偏向ミラーの傾斜角に対応する。ｓ−偏光を有する光では、電界ベクトルは、入射方向及び偏向ミラーの表面に対する法線を含む入射平面に対して垂直に振動し、それに対してｐ−偏光光では、電界ベクトルは、この入射平面に対して平行に振動する。
【００４７】
物体表面及び／又は偏向ミラーの上流の中間像ＩＭＩ１から到来する光は、偏向ミラー領域内の光ビームの開口数、及び当たる光線に対する偏向ミラーの向きによって定められる入射角度範囲にわたって偏向ミラーＭ１、Ｍ２の各々の上に入射する。各場合の最大及び最小入射角は、照明瞳のエッジ又はその近くの領域内の有効光源ＥＦＦの最も外側のエッジから発する光線に対応する。図２から明らかなように、破線で示している瞳エッジ光線ＰＥＲ１は、傾斜角よりも小さい比較的小さい入射角αMIN1、例えば、約３１°で第１の反射ミラーＭ１上に入射する。第１の偏向ミラーＭ１及び凹ミラーにおける反射の後に、光線ＰＥＲ１は、傾斜角よりも大きく、例えば、約５９°とすることができる比較的大きい入射角αMAX2で第２の偏向ミラーＭ２上に入射する。瞳における対向する位置から発する瞳エッジ光線ＰＥＲ２は、最初に、比較的大きい入射角αMAX1＞ｔ1、例えば、５９°で第１の偏向ミラーＭ１上に入射し、これに対して第２の偏向ミラーＭ２における対応する入射角αMIN2は、第２の傾斜角ｔ2よりも小さい（例えば、約３１°）。
【００４８】
一方、ｘ極ＰＸ１及びＰＸ２から発する光線（すなわち、赤道エッジ光線）は、両方の偏向ミラー上に、偏向ミラーの傾斜角程度の比較的小さい範囲の入射角で入射する。これらの実施形態では、これらの光線の入射角度範囲は、例えば、４５°±５°及び／又は４５°±４°及び／又は４５°±３°及び／又は４５°±２°とすることができる。
接線偏光（図１Ｂ）にある極からの光の好ましい偏光方向は、瞳エッジ光線ＰＥＲ１及びＰＥＲ２の電界の振動方向が入射平面に対して垂直である、例えば、偏向ミラー上の反射時に、光がｓ−偏光光になるように作用する。それとは対照的に、ｘ極ＰＸ１、ＰＸ２（赤道極）からの光は、電界ベクトルが基本的に入射平面内で振動するので、偏向ミラー上の反射時にｐ−偏光光として作用する。
【００４９】
ここで、第１及び第２の偏向ミラー上の連続反射時に様々な光線において蓄積される全体反射損失を考える。各光線に対して、蓄積反射損失は、第１及び第２の偏向ミラー上のこの光線に対するそれぞれの反射率の総和によって判断される。反射損失の結果を示すために、図３は、従来技術のシステムにおける入射角による偏光依存反射率の変化の一般的な例を示している（ＷＯ２００５／１２４４２０Ａ１を参照されたい）。これらの従来の反射コーティングでは、ｓ−偏光に対する反射率Ｒsは、一般的にｐ−偏光におけるものよりも実質的に大きい。一般的に、ｐ−偏光に対する反射率Ｒpは、入射角が増大する時に低下し、一般的に、５０°と６０°の入射角の間の範囲に求められるブリュースター角において局所最小値に達する。
【００５０】
両方の偏向ミラー上の反射コーティングが同様の反射率特性を有すると仮定すると、反射の順序は、連続反射時に被る全体減衰に対して僅かな影響しか与えないか、又は全く影響を与えないので、反射の両方の瞳エッジ光線は、基本的に同様に減衰することになる。瞳エッジ光線の反射損失は、図２に関連して説明したように、次式に従う第１の反射率総和ＲsPEによって表すことができる。
RsPE= Rs1(t1-Δα1)+ Rs1(t1+Δα1)+ Rs2(t2-Δα2)+ Rs2(t2+Δα2)
瞳エッジ光線ＰＥＲ１、ＰＥＲ２の反射は、最小値に近い入射角領域（例えば、３１°と２９°との間）内、又は最大入射角の領域（例えば、５７°と５９°との間）内のいずれかで発生する。３０°＜α＜３５°の領域では、平均反射率Ｒsは約９２．５％である。５７°＜α＜５９°の領域では、平均反射率Ｒsは約９０％である。従って、上述の定義による第１の反射率総和の４分の１は、約９１％であり、これを図３のハッチング領域によって示している。一方、次式：
RpC=2*(Rp1(t1)+Rp2(t2)).
として定められる第２の反射率総和ＲsEの４分の１は、ｔ1＝ｔ2＝４５°であり、Ｒp（４５°）＝８７％であるから、約８７％である。その結果として、図３に示している従来技術のシステムでは、有効反射率分離ΔＲ＝ＲsPE−ＲpCは、約４百分率ポイントである。
【００５１】
図１Ｂの４つの極から出射する異なる光線において蓄積される光損失に関して、以下の状況が生じることになる。ｙ極ＰＹ１、ＰＹ２（極点極）から出射する光は、比較的大きい入射角（約６０°に近い）及び比較的小さい入射角（約３０°に近い）の領域内の反射率に従って反射率損失を蓄積することになる。蓄積された光損失は、第１の反射率総和ＲsPEの値によって表される。赤道帯内でｘ方向に中心を置くｘ極ＰＸ１、ＰＸ２（赤道極）から出射する光線における光損失は、一般的に、光損失が４５°前後におけるｐ−偏光光に対する反射率の値Ｒp（４５°）によって判断されることから有意に異なっている。その結果として、投影対物器械内の瞳平面ＰPO（照明システムの瞳平面ＰILLと光学的に共役である）における強度分布は、ｙ方向の周りに位置する極とｘ方向の周りに位置する極とで異なる強度を有し、ｘ方向の極は、偏向ミラー上の連続反射時のより大きい光損失に起因してより小さい平均強度を提供する。
【００５２】
ｘ極（垂直極、ｘ方向の極、赤道極）及びｙ極（水平極、ｙ方向の極、極点極）の間の強度差を以下では「強度楕円度」で表している。強度楕円度は、水平極に対する約４５°でのＲpの反射率とｙ方向の瞳位置に対応する入射角に対する反射率の平均値との間の差に相関する。異なる極の間の強度差が、特定のリソグラフィ処理に依存するとすることができる許容閾値よりも大きい場合に、強度楕円度は、方向依存線幅差（ＣＤ変化とも表す）を引き起こすか又はそれに寄与することになる。
【００５３】
偏向ミラー上の不均等な反射損失によって引き起こされる強度楕円度は、上述の効果に対処する反射度の角度依存性を有する反射コーティングを偏向ミラーに設けることによって回避することができる。ここで、第１及び第２の偏向ミラーの両方の上に用いることができる反射コーティングの実施形態の反射特性を図４に関連して説明する。多層反射コーティングの構造を下記の表１に提供する。
【００５４】
（表１）
0005588176.tif 000002
【００５５】
表１では、第１列は、基板側（層０）から反射層（２３）の利用可能表面に向う反射コーティングのそれぞれの層の番号を示している。他の列は、層の幾何学的厚みｄ［ｎｍ］、それぞれの材料、及び材料の複素屈折率Ｎ＝ｎ−ｉｋを定めるパラメータｎ及びｋを示しており、ここで、ｎは、複素屈折率の実数部分であり、ｋは、複素屈折率の虚数部分である。場合によっては消散係数とも呼ばれる無次元の吸収係数ｋは、ｋ＝（αλ）／４Πという関係によって有次元吸収係数α［１／ｃｍ］に関連付けられ、ここで、λは、対応する光波長を表している。
【００５６】
多層反射コーティングの基板側の層を形成するアルミニウム材料は、比較的高い反射率を高エネルギ紫外線の劣化の影響に対する十分な安定性と組み合わせる。他の金属、例えば、マグネシウム、イリジウム、錫、ベリリウム、又はルテニウム、又はこれらの合金も可能である。層１から層２３は、低屈折率材料（ここではチオリス）と高屈折率材料（ここではＡｌ2Ｏ3）との交互層を有する誘電体多層スタックを形成する。例えば、フッ化マグネシウム（ＭｇＦ2）、フッ化アルミニウム（ＡｌＦ3）、チオライト、クリオライト、フッ化ガドリニウム（ＧｄＦ3）、二酸化珪素（ＳｉＯ2）、フッ化ランタン（ＬａＦ3）、又はフッ化エルビウム（ＥｒＦ3）を含む他の材料又は材料の組合せを用いることができる。
【００５７】
入射角によるｓ−偏光光に対する反射率Ｒsの変化は、α＝４５°、例えば、偏向ミラーの傾斜角ｔに対応する入射角において反射率の値Ｒsに対して実質的に点対称である。ここで、Ｒs（４５°）≒９３％である。入射角が傾斜角の値から大きい入射角に向けて偏向させる時に、反射率は、反射率の局所最小値が発生する約α＝５４°において約Ｒs＝９１．５％に至るまでほぼ線形（入射角一度につき約０．２％の反射率という平均勾配量）に低下する。局所最小値を超えると、α＝６０°における約９２％に至るまでの反射率Ｒsのいくらかの上昇が発生する。それとは対照的に、反射率Ｒsは、入射角が４５°における値からより小さい値へと偏向させる時に、ｓ−偏光光に対する反射率の極大値が発生する約α＝３４°における約９４．３％に至るまで、ほぼ線形の増加によって上昇する。一般的に、０°から１５°のδαに対して、次式の条件に従う。
Rs(t+δα)+Rs(t-δα) = Rs(t) ± 0.5%
【００５８】
ｐ−偏光光に対する反射率Ｒpは、９３％前後の一般的な値Ｒp（４５°）を有するα＝４５°前後の領域内でｓ−偏光光に対する反射率Ｒsと対応する。入射角が傾斜角の値から更に一層偏向させる時に、Ｒpの値は、最小入射角（α＝３０°）における９１％前後の比較的小さい値、及び６０°に至る大きい入射角における９０％よりも小さい実質的に小さい値に向けて急激に低下する。（ここで解説している軸外照明環境では、最大又は最小入射角においていかなるｐ−偏光光も用いられないので、これらの小さい値は満足できることに注意されたい。それによってコーティング設計において付加的な自由度が与えられ、Ｒs（α）に対して最適化された性能に合わせることが容易になる。）
【００５９】
これらの反射率特性は、偏向ミラー上の連続反射によって引き起こされる強度楕円度を実際に回避することを可能にする。上述のように、第１の反射率総和ＲsPEは、ｙ方向の周りのｙ極ＰＹ１、ＰＹ２から発する光が直面する蓄積される強度損失を決める。２９°と３１°の間の最小入射角に対する平均反射率は、約９４％であるのに対して、約５７°から５９°の角スペクトルの大きい角度端部における反射率は、約９２％である。図４にハッチング領域によって示しているように、平均では、第１の反射率総和ＲsPEの４分の１は、約９３％である。両方の偏向ミラー上で、同じ量の反射率損失が、赤道帯内のｘ方向の周りのｘ極ＰＸ１、ＰＸ２から発する光において発生する。従って、事実上いかなる有効反射率分離も存在せず、例えば、ΔＲ＝０である。これらの条件の下では、投影対物器械の瞳表面ＰPO内の光強度の極は、照明システムの瞳ＰILL内の対応する極が等しい強度を有し、強度分布に影響を与えるいかなる他の効果も発生しない場合には、等しい強度を有する。その結果として、偏向ミラーによっていかなる強度楕円度も引き起こされない。
【００６０】
図４に示している一般的特性を有する反射コーティングは、強度楕円度を引き起こすことなく他の照明モードにおいて用いることができる。ｓ−偏光に対する反射率Ｒs特性は、偏向ミラーの傾斜角ｔ＝４５°に対して基本的に点対称であるから、光軸（α＝４５°）と瞳のエッジの間の全てのσ値に対して、反射率損失の補償がｙ方向に得られる（式（３）における条件を参照されたい）。
更に、図４の反射コーティングでは、α＝４５°においてＲs＝Ｒsである。その結果、この反射コーティングは、強度楕円度を引き起こすことなく、非偏光光に対して用いることもできる。
【００６１】
図４に関連して解説した反射コーティングに関連して用いることができる別の照明モードは、接線偏光を有する４つの極を有する一般的に図１Ｂ又は１Ｃに従う四重極設定が用いられて有効光源が光軸の周りに、すなわち、瞳の中心領域に有意な強度の非偏光光を更に含む照明モードである（図１Ｄを参照されたい）。光軸の周りの強度は、条件Ｒp（４５°）＝Ｒs（４５°）が満たされるので、有意な楕円度を引き起こさない。この照明モードは、小さい周期で高密に離間した複数の線に加えて、分離した線（例えば、チップ設計における周辺の電線管における）が存在するパターンを焼き付ける上で有利なものとすることができる。
【００６２】
ここで、図４に関連して提供した反射率特性を有する反射コーティングを有する２つの偏向ミラーが設けられた光学システムの改善された性能の証拠を図５に関連して提供する。ＥＰ１、７６７、９７８Ａ１（ＷＯ２００５／１２４４２０Ａ１に対応する）の図１２に開示されている従来技術のシステムから引用した２つの平面偏向ミラーを有する基準システムＲＥＦの光学性能を、従来技術と同じシステムの光学設計を有し、２つの平面偏向ミラーの反射コーティングの構造においてのみ異なる第１の実施形態ＥＭＢ１と比較する。基準システムＲＥＦの偏向ミラーは、ＥＰ１、７６７、９７８Ａ１の図１２に開示されている層構造Ａｌ／ＭｇＦ2／ＬａＦ3／ＭｇＦ2を有する反射コーティングを有するのに対して、第１の実施形態ＥＭＢ１における偏向ミラーは、上述の表１において開示した多層構造を有する反射コーティング、及び図４に関連して開示した反射率特性を有する。
【００６３】
米国カリフォルニア州９４０４３、マウンテンビュー所在の「Ｓｙｎｏｐｓｙｓ、Ｉｎｃ．」によって提供され、光学マイクロリソグラフィ分野で処理開発及び最適化において幅広く用いられている市販の結像シミュレーションソフトウエア「ＳＯＬＩＤ  Ｅ（登録商標）」を用いて結像シミュレーションを実施した。詳細に関しては、例えば、ｈｔｔｐ：／／ｗｗｗ．ｓｙｎｎｏｐｓｙｓ．ｃｏｍ／ｐｒｏｄｕｃｔｓ／ｔｃａｄ／ａｃｑｎｒ／ｓｇｍｃ／ｓｏｌｉｄｅ．ｈｔｍｌを参照されたい。「ＳＯＬＩＤ  Ｅ（登録商標）」は、光学マイクロリソグラフィに係わる全ての処理及び技術を模擬し、モデル化するためのＷｉｎｄｏｗｓ（登録商標）ベースのソフトウエアパッケージである。このソフトウエアパッケージは、マイクロリソグラフィ処理における様々な段階全体を通じて集積回路デバイス内の３次元トポグラフィ特徴部の発達を模擬することができる。
【００６４】
互いに垂直な方向（ｘ方向及びｙ方向）に延びる平行線ＬＩから成るサブパターンを有する試験パターンを用いた。全てのシミュレーションにおける全ての試験パターンにおいて線幅ＬＷ＝４５ｎｍを用いた。シミュレーションマスクは、線ＬＩの間のスペース内で完全透過率（１００％）を有し、線内で６％の残存透過率を有する減衰位相シフトマスクであった。様々な構造の方向において向きに依存する差（Ｈ−Ｖ差とも表される）を定量的に評価するために、各々が同じ線幅（４５ｎｍ）を有するが、周期的なサブパターン内の対応する構造における周期長を表すピッチが異なる様々なパターンに対して焼き付けを模擬した。Ｈ−Ｖ差を定量化するために、異なるピッチ値、１１５ｎｍ、１２５ｎｍ、１３０ｎｍ、１４０ｎｍ、１５０ｎｍ、１８０ｎｍ、２７０ｎｍ、３１５ｎｍ、及び１０００ｎｍを用いた。本明細書に用いるＨ−Ｖ差ΔＨＶ［ｎｍ］は、互いに垂直な方向にある同じ周期長（又はピッチ）の線の間の焼き付けられた線幅の差である。
【００６５】
平行線を一度ｘ方向に向け、次にｙ方向に向けて所定の構造（パターン）に対する結像処理を模擬することによってΔＨＶの値を計算した。全てのシミュレーションにおいて同じ照明照射量を用い、同じ強度閾値を所定の感光材料（例えば、レジスト）に当て嵌めることで、空間像からそれぞれの線幅を特定することができる。焼き付けられたｘ方向の線幅がＬＷxであり、焼き付けられたｙ方向の線幅がＬＷyであるとすれば、ΔＨＶ＝ＬＷx−ＬＷyである。
【００６６】
環状設定（照明システムの瞳表面内にリング形有効光源を有する）を用いて照明を模擬し、リング形有効光源の内側エッジ及び外側エッジの相対半径位置をσi＝０．８２及びσo＝０．９７によって特徴付けた（σ値の定義に対して、例えば、図１Ｂ又は図１Ｃと比較されたい）。図１Ｂに示している四重極設定とは異なり、このシミュレーションの環状設定は、４つの切片に細分化されておらず、方位角方向に中断がない完全な閉じた照明リングによって特徴付けられる。投影対物器械の像側開口数ＮＡをＮＡ＝１．３に設定した。照明瞳をｘ軸及びｙ軸を中心とする４つの９０°の楔形区分に細分化し、隣接する区分の間の境界がｘ軸とｙ軸との間で対称に４５°で延びるようにすることによって特徴付けられる「ｘｙ偏光状態」に対応するように照明放射線の偏光特質を設定した。区分の各々では、図１Ｃに示しているものと同様の種類の基本的な接線偏光を設けるために、それぞれの区分の中央軸に対して垂直に振動する電界ベクトルを有する直線偏光を有するように放射線を模擬した。
【００６７】
図５Ａは、ｘ軸上にサブパターンのピッチ［ｎｍ］を有し、ｙ軸上にこれに対応する水平−垂直差ΔＨＶ［ｎｍ］を有する線図にシミュレーションの結果を示しており、この線図では、破線の曲線ＲＥＦは、基準システムの値に対応し、実線の曲線ＥＭＢ１は、第１の実施形態（図４に示している反射コーティング）の値に対応する。両方の曲線を１００ｎｍのピッチにおいてΔＨＶ＝０ｎｍを有するように正規化している。例えば、特に、約１００ｎｍと２００ｎｍの間から４００ｎｍに至る小さいピッチ値によって特徴付けられる限界微細構造の領域では、ΔＨＶが、ピッチによる有意な変化を示すことは明らかである。例えば、１００ｎｍと２００ｎｍの間のピッチでは、ΔＨＶ変化の絶対値は約１．２ｎｍである。これらの比較的大きい値は、特に、主に照明瞳の外側エッジ領域からの照明を用いて焼き付けられる微細に離間したパターンにおいて有意な線幅差を生じる。
【００６８】
図４にある表１の実施形態による反射コーティングを用いると、ΔＨＶの有意な改善が得られる。ピッチによるΔＨＶの変化は、小さいピッチ値の領域内では有意に小さいので、例えば、ΔＨＶは、約１００ｎｍのピッチと４００ｎｍのピッチの間で約０．２ｎｍしか変化しておらず、本発明の実施形態では、高密に離間した線は、ｘ方向及びｙ方向の両方で非常に同様の線幅を有することを示している。一般的に、ΔＨＶの変化は、約１００ｎｍと１０００ｎｍの間のピッチ域内で１．２ｎｍ又はそれ未満（又は第１ｎｍ又はそれ未満、又は０．８ｎｍ又はそれ未満、又は０．５ｎｍ又はそれ未満）とすることができる。
【００６９】
ここで、光学システム内の１つ又はそれよりも多くの偏向ミラー上に用いることができる均衡調整された反射コーティングの第２の実施形態を表２及び図６に関連して以下に説明する。多層反射コーティングというこの実施形態の構造を表２に提供しており、表２では、層番号＃、厚みｄ、材料、並びに複素屈折率Ｎ＝ｎ−ｉｋを定めるパラメータｎ及びｋの意味は、表１におけるものと同じである。この実施形態は、５３個の単層による低屈折率材料（ここではチオリス）と高屈折率材料（ここではＡｌ2Ｏ3）との交互層を有する誘電体多層スタックによって形成された純誘電体多層システムである。基板表面上に直接に形成された第１の層１は低屈折層であり、周囲に隣接する外側層５３も同様に低屈折のチオリスである。
【００７０】
（表２）
0005588176.tif 000003
【００７１】
（表２続き）
0005588176.tif 000004
【００７２】
図６に見られるように、入射角によるｓ−偏光光に対する反射率Ｒsの変化は、偏向ミラーの傾斜角ｔに対応するα＝４５°において反射率の値Ｒsに対して実質的に点対称である。ここでは、Ｒs（４５°）≒８９％である。入射角が、傾斜角から小さい値に向けて偏向させる時に、反射率は、α＝４０°及びそれ未満に至るまでほぼ線形に上昇し、これとは反対に、反射率は、約α＝５０°における約８３％に至るまでほぼ同量だけ低下し、約α＝５１°において局所最小値を有する。一般的に、約０°から約１０°のδαに対して、次式の条件に従う。
Rs(t+δα)+Rs(t-δα) = Rs(t) ± 0.5%
【００７３】
驚くべきことに、ｐ−偏光光に対する反射率Ｒpは、基本的に反対の点対称挙動を有し、約α＝４５°においてＲp≒Ｐsである。入射角が小さい値に向かって低減する時に、Ｒpは、α＝４０°における約８３％に至るまで低下する。その一方で、Ｒpは、α＝５０°における約Ｒp≒９２％に至るまでほぼ線形に上昇し、０°から１０°のδαに対して、次式の条件に従う。
Rp(t+δα)+Rp(t-δα) = Rp(t) ± 0.5%
【００７４】
従って、この反射コーティングの反射率特性は、反射率の値Ｒs(t)＝４５°に対して、ｓ−偏光光ばかりでなく、ｐ−偏光光に対しても実質的に点対称である。特に、式１から式３及び式５に提供した条件に加えて、少なくとも約４０°と約５０°の間（ｔ＝４５°に対してΔα＝５°又はそれよりも大きい）の入射角に対して以下の式４、式６、及び式７に提供する条件に従う。
(Rp(t+δα)+Rp(t-δα)) / 2 = Rs(t) ± 2 %                  (4)
(Rp(t-Δα)+ Rp(t+Δα)) / 2 = Rs(t) ± 0.5%                (6)
Rp(t) = Rs(t) ± 0.5%                                    (7)
その結果として、この種類のコーティングは、接線偏光のみならず放射状偏光に対して又は非偏光光に対して、基本的にここに示した偏光状態のいずれにおいても強度楕円度を招くことなく用いることができる。
【００７５】
偏向ミラーの実施形態は、様々な種類の反射屈折投影対物器械において用いることができる。図７及び図８は、３つのカスケード（又は連結）結像対物器械部分及び厳密に２つの中間像を用いて、物体表面ＯＳからのパターンを光学的に共役な像表面ＩＳ上へと結像するように設計されたＲ−Ｃ−Ｒ型投影対物器械の第１及び第２の実施形態を略示している。第１の屈折対物器械部分（「Ｒ」と略記）は、パターンの第１の実中間像ＩＭＩ１を生成する。凹ミラーを含む第２の反射屈折対物器械部分（「Ｃ」と略記）は、第１の中間像から第２の実中間像ＩＭＩ２を生成する。第３の屈折対物器械部分（「Ｒ」と略記）は、第２の中間像を像表面へと結像する。一般的に、第１の屈折対物器械部分は、１：１に近い拡大率を有し、その後の結像段階に向けて第１の中間像のサイズ、位置、及び補正ステータスを適正に定める「中継」システムとして機能する。口径食及び掩蔽のない像を得るために軸外視野を利用する両方の実施形態は、軸上色収差（ＣＨＬ）及びペッツヴァル和を補正するために凹ミラーの前に配列された１つ又はそれよりも多くの負のレンズと組合せて、第２の対物器械部分の瞳表面に又はそれに光学的に近く位置決めされた単一の凹ミラーＣＭを用いる。一般的に、第３の対物器械部分は、縮小率の主要部分及び望ましい像側ＮＡを得るために、高密に詰め込まれたレンズを有する合焦群として最適化される。
【００７６】
図７の投影対物器械５００では、第１の平面偏向ミラーＭ１は、物体表面ＯＳ及び第１の中間像ＩＭＩ１から到来する光を凹ミラーＣＭに向けて偏向させるように配列され、それに対して第２の平面偏向ミラーＭ２は、第２の中間像ＩＭＩ２に光学的に近く配列され、凹ミラーから反射される光を像表面に向けて誘導する。この一般的な構成例は、例えば、ＷＯ２００５／１１１６８９Ａ２、ＷＯ２００５／１２４４２０Ａ１、又はＷＯ２００５／１２４４２０Ａ１に見ることができる。
【００７７】
図８の投影対物器械６００では、物体表面から第１の中間像ＩＭＩ１を通じて到来する光は、第１の平面偏向ミラーＭ１上に当たる前に凹ミラーＣＭ上に入射し、第１の平面偏向ミラーＭ１は、凹ミラーから到来する光を像表面に向けて偏向させる。第２の中間像の光学的下流にあり、第１の偏向ミラーに対して垂直に向けられた第２の平面偏向ミラーＭ２は、像側ＩＳを物体表面に対して平行に向けることを可能にする。この一般的な構成の実施形態は、例えば、ＵＳ２００４／０２３３４０５Ａ１に開示されている。
本発明の異なる実施形態による投影対物器械は、ＷＯ２００４／０２５３７０Ａ１又はＵＳ２００６／００７７３６６Ａ１に示すように中間像を１つしか持たないか、又は例えばＷＯ２００５／０４０８９０Ａ２又はＵＳ２００５／０１８５２６９Ａ１に開示するように２つよりも多くの中間像を有することができる。
【００７８】
好ましい実施形態の以上の説明は、一例として提供したものである。提供した開示内容から、当業者は、本発明及びそれに伴う利点を理解するだけでなく、開示した構造及び方法に対する明らかな様々な変更及び修正も見出すであろう。従って、特許請求の範囲及びその均等物によって定められる本発明の精神及び範囲に収まる全ての変更及び修正を含むことが求められている。
全ての特許請求の範囲の内容は、引用によって本明細書の一部とされている。
【符号の説明】
【００７９】
ＡＸ  光軸
ＣＭ  凹ミラー
Ｍ１  第１の平面偏向ミラー
ｔ1  第１の傾斜角
ｔ2  第２の傾斜角
【図１Ａ−１Ｂ】
0005588176.tif 000005
【図１Ｃ】
0005588176.tif 000006
【図１Ｄ】
0005588176.tif 000007
【図２】
0005588176.tif 000008
【図３】
0005588176.tif 000009
【図４】
0005588176.tif 000010
【図５Ａ】
0005588176.tif 000011
【図５Ｂ】
0005588176.tif 000012
【図６】
0005588176.tif 000013
【図７】
0005588176.tif 000014
【図８】
0005588176.tif 000015